(57)【特許請求の範囲】
【請求項１】
外部接続装置と無線接続する無線接続部、
前記無線接続部による外部接続装置との接続を制御するとともに、前記無線接続部により接続可能な外部接続装置を検出する接続制御部、
前記無線接続部により接続された外部接続装置におけるコンテンツの再生を制御する再生制御部、
各種情報を表示する表示部、
前記再生制御部において再生中のコンテンツデータにおける所定の箇所が検出された場合は、前記再生制御部による前記コンテンツデータの再生の停止、前記接続制御部による接続中の外部接続装置との接続の解除、前記接続制御部による接続可能な外部接続装置の検出、前記接続制御部による前記接続を解除した外部接続装置の再接続、前記再生制御部による前記再接続した外部接続装置におけるコンテンツデータの再生の再開を行わせ、前記コンテンツデータの再生中に、前記接続制御部により検出した接続可能な外部接続装置に関する情報の提示要求があった場合は、前記接続可能な外部接続装置に関する情報を前記表示部に表示させる制御部、
を備えることを特徴とする、コンテンツ再生装置。
【請求項２】
前記再生制御部は、前記コンテンツデータにおける所定の箇所の検出を、再生されるコンテンツ毎に検出することを特徴とする、
請求項１に記載のコンテンツ再生装置。
【請求項３】
前記再生制御部は、前記コンテンツデータの終了箇所を前記所定の箇所として検出することを特徴とする、
請求項１または請求項２に記載のコンテンツ再生装置。
【請求項４】
前記制御部は、前記接続可能な外部接続装置に関する情報が前記表示部に表示されているときに前記接続可能な外部接続装置のいずれかに対する接続要求を受け付けたときは、前記再生制御部による前記接続中の外部接続装置におけるコンテンツデータの再生の停止、前記接続制御部による前記接続中の外部接続装置との接続の解除および前記接続要求を受け付けた外部接続装置との接続、
を行わせることを特徴とする、請求項１から請求項３のいずれか１項に記載のコンテンツ再生装置。
【請求項５】
前記制御部は、前記接続要求を受け付けた外部接続装置との接続後、前記再生制御部により前記接続された外部接続装置におけるコンテンツデータの再生を開始させることを特徴とする、
請求項４に記載のコンテンツ再生装置。
【請求項６】
無線接続されている外部接続装置のコンテンツデータを再生する再生ステップ、
前記再生ステップにおいて再生されているコンテンツデータにおける所定の箇所が検出する検出ステップ、
前記検出ステップにおいて所定の箇所が検出されたときは、前記再生ステップにおけるコンテンツデータの再生を停止するとともに、前記接続されている外部接続装置との接続を解除する解除ステップ、
前記解除ステップによる外部接続装置との接続の解除後に、接続可能な外部接続装置を検出する検出ステップ、
前記検出ステップによる接続可能な外部接続装置の検出後に、前記解除ステップにおいて接続を解除した外部接続装置との接続を行い、前記再生を停止したコンテンツデータの再生を再開する再開ステップ、
前記再開ステップによる前記コンテンツデータの再生中に、前記検出ステップにより検出した接続可能な外部再生装置に関する情報の提示要求があった場合は、前記接続可能な外部接続装置に関する情報を表示部に表示させる表示ステップ、
を備えることを特徴とする、コンテンツ再生装置の制御方法。
【請求項７】
コンテンツ再生装置が備えるコンピュータを、
無線接続されている外部接続装置のコンテンツデータを再生する再生ステップ、
前記再生ステップにおいて再生されているコンテンツデータにおける所定の箇所が検出する検出ステップ、
前記検出ステップにおいて所定の箇所が検出されたときは、前記再生ステップにおけるコンテンツデータの再生を停止するとともに、前記接続されている外部接続装置との接続を解除する解除ステップ、
前記解除ステップによる外部接続装置との接続の解除後に、接続可能な外部接続装置を検出する検出ステップ、
前記検出ステップによる接続可能な外部接続装置の検出後に、前記解除ステップにおいて接続を解除した外部接続装置との接続を行い、前記再生を停止したコンテンツデータの再生を再開する再開ステップ、
前記再開ステップによる前記コンテンツデータの再生中に、前記検出ステップにより検出した接続可能な外部再生装置に関する情報の提示要求があった場合は、前記接続可能な外部接続装置に関する情報を表示部に表示させる表示ステップ、
として実行させることを特徴とするプログラム。
【発明の詳細な説明】
【技術分野】
【０００１】
本発明は、接続された外部接続装置におけるコンテンツを再生するコンテンツ再生装置、コンテンツ再生装置の制御方法およびプログラムに関する。
【背景技術】
【０００２】
従来、ブルートゥース等のインターフェースを用いた無線接続手段を備えた装置が知られている。このような無線接続手段を備えた装置においては、通信仕様により、他の装置との接続中であるときには接続可能な装置の検索を行うことができない場合がある。このような場合、接続可能な装置の検索や接続する装置の切替えを行うためには、ユーザは、無線接続を切断する指示を与えてから、接続可能な装置の検索や接続の切替えを行うための指示を与える必要がある。
【先行技術文献】
【特許文献】
【０００３】
【特許文献１】特開２００８−２４２３７３号公報
【特許文献２】特開２００７−３２３７８９号公報
【発明の概要】
【発明が解決しようとする課題】
【０００４】
特許文献１の技術は、接続した携帯型機器における音楽ファイルの再生制御を行う車載機器について記載されており、特許文献２の技術は、オーディオ機器にとの接続が切断された場合、再生している楽曲の再生位置を検出する装置について記載されている。
【０００５】
このような装置であって、例えば無線接続により接続されている場合に、他の無線接続可能な装置の存在を検出するためには、ユーザの指示により再生中の楽曲の再生を中断し、接続中の無線接続装置との接続を切断した上で検出する必要がある。このため、無線接続可能な装置の選択は、接続中の無線接続装置の接続を切断した上で行わなければならず、ユーザの操作が煩雑であるとともに、操作の間、楽曲の再生が中断されてしまう。
【０００６】
本発明の目的は、楽曲等コンテンツデータの再生中であっても、コンテンツデータの再生を中断させることなく、容易な操作で接続する装置を切替えることができる、コンテンツ再生装置、コンテンツ再生装置の制御方法およびプログラムを提供することである。
【課題を解決するための手段】
【０００７】
上記目的を達成させるために、第１の発明に係るコンテンツ再生装置（１０）は、外部接続装置（４０）と無線接続する無線接続部（１４）、前記無線接続部（１４）による外部接続装置（４０）との接続を制御するとともに、前記無線接続部（１４）により接続可能な外部接続装置（４０）を検出する接続制御部（１１２）、前記無線接続部（１４）により接続された外部接続装置（４０）におけるコンテンツの再生を制御する再生制御部（１１１）、各種情報を表示する表示部（１２）、前記再生制御部（１１１）において再生中のコンテンツデータにおける所定の箇所が検出された場合は、前記再生制御部（１１１）による前記コンテンツデータの再生の停止、前記接続制御部（１１２）による接続中の外部接続装置（４０）との接続の解除、前記接続制御部（１１２）による接続可能な外部接続装置（４０）の検出、前記接続制御部（１１２）による接続を解除した外部接続装置（４０）の再接続、前記再生制御部（１１１）による前記再接続した外部接続装置（４０）におけるコンテンツデータの再生の再開を行わせ、前記コンテンツデータの再生中に、前記接続制御部（１１２）により検出した接続可能な外部接続装置（４０）に関する情報の提示要求があった場合は、前記接続可能な外部接続装置（４０）に関する情報を前記表示部（１２）に表示させる制御部（１１）、を備えることを特徴とする。
【０００８】
第２の発明に係るコンテンツ再生装置（１０）は、第１の発明において、前記再生制御部（１１１）は、前記コンテンツデータにおける所定の箇所の検出を、再生されるコンテンツ毎に検出することを特徴とする。
【０００９】
第３の発明に係るコンテンツ再生装置（１０）は、第１または第２の発明において、前記再生制御部（１１１）は、前記コンテンツデータの終了箇所を前記所定の箇所として検出することを特徴とする。
【００１０】
第４の発明に係るコンテンツ再生装置（１０）は、第１から第３のいずれか１の発明において、前記制御部（１１）は、前記接続可能な外部接続装置（４０）に関する情報が前記表示部（１２）に表示されているときに前記接続可能な外部接続装置（４０）のいずれかに対する接続要求を受け付けたときは、前記再生制御部（１１１）による前記接続中の外部接続装置（４０）におけるコンテンツデータの再生の停止、前記接続制御部（１１２）による前記接続中の外部接続装置（４０）との接続の解除および前記接続要求を受け付けた外部接続装置（４０）との接続、を行わせることを特徴とする。
【００１１】
第５の発明に係るコンテンツ再生装置（１０）は、第４の発明において、
前記制御部（１１）は、前記接続要求を受け付けた外部接続装置（４０）との接続後、前記再生制御部（１１１）により前記接続された外部接続装置（４０）におけるコンテンツデータの再生を開始させることを特徴とする。
【００１２】
第６の発明に係るコンテンツ再生装置（１０）の制御方法は、無線接続されている外部接続装置（４０）のコンテンツデータを再生する再生ステップ、前記再生ステップにおいて再生されているコンテンツデータにおける所定の箇所が検出する検出ステップ、前記検出ステップにおいて所定の箇所が検出されたときは、前記再生ステップにおけるコンテンツデータの再生を停止するとともに、前記接続されている外部接続装置（４０）との接続を解除する解除ステップ、前記解除ステップによる外部接続装置（４０）との接続の解除後に、接続可能な外部接続装置（４０）を検出する検出ステップ、前記検出ステップによる接続可能な外部接続装置（４０）の検出後に、前記解除ステップにおいて接続を解除した外部接続装置（４０）との接続を行い、前記再生を停止したコンテンツデータの再生を再開する再開ステップ、前記再開ステップによる前記コンテンツデータの再生中に、前記検出ステップにより検出した接続可能な外部再生装置（４０）に関する情報の提示要求があった場合は、前記接続可能な外部接続装置（４０）に関する情報を表示部（１２）に表示させる表示ステップ、を備えることを特徴とする。
【００１３】
第７の発明に係るプログラムは、コンテンツ再生装置（１０）が備えるコンピュータを、無線接続されている外部接続装置（４０）のコンテンツデータを再生する再生ステップ、前記再生ステップにおいて再生されているコンテンツデータにおける所定の箇所が検出する検出ステップ、前記検出ステップにおいて所定の箇所が検出されたときは、前記再生ステップにおけるコンテンツデータの再生を停止するとともに、前記接続されている外部接続装置（４０）との接続を解除する解除ステップ、前記解除ステップによる外部接続装置（４０）との接続の解除後に、接続可能な外部接続装置（４０）を検出する検出ステップ、前記検出ステップによる接続可能な外部接続装置（４０）の検出後に、前記解除ステップにおいて接続を解除した外部接続装置（４０）との接続を行い、前記再生を停止したコンテンツデータの再生を再開する再開ステップ、前記再開ステップによる前記コンテンツデータの再生中に、前記検出ステップにより検出した接続可能な外部再生装置（４０）に関する情報の提示要求があった場合は、前記接続可能な外部接続装置（４０）に関する情報を表示部（１２）に表示させる表示ステップ、として実行させることを特徴とする。
【発明の効果】
【００１４】
本発明によれば、楽曲等コンテンツデータの再生中であっても、コンテンツデータの再生を中断させることなく、容易な操作で接続する装置を切替えることができる。
【図面の簡単な説明】
【００１５】
【図１】本発明の実施例に係るコンテンツ再生装置の構成を示すブロック図である。
【図２】本発明の実施例に係るコンテンツ再生装置と外部接続装置との接続関係を示した概念図である。
【図３】本発明の実施例に係るコンテンツ再生装置における、外部接続装置の楽曲再生処理を示すフローチャートである。
【図４】本発明の実施例に係るコンテンツ再生装置における、外部接続装置の情報取得処理を示すフローチャートである。
【図５】本発明の実施例に係るコンテンツ再生装置における、外部接続装置の情報取得処理の他の例を示すフローチャートである。
【図６】本発明の実施例に係るコンテンツ再生装置における、外部接続装置の選択切替処理を示すフローチャートである。
【図７】本発明の実施例に係るコンテンツ再生装置における、外部接続装置選択切替時の表示画面例を示す概念図である。
【発明を実施するための形態】
【００１６】
本発明のコンテンツ再生装置１０の構成および外部接続装置との接続関係について、図１および図２に基づき説明する。図１は本発明の一実施形態に係るコンテンツ再生装置１０の構成を示すブロック図であり、図２は本発明のコンテンツ再生装置１０と外部接続装置４０との接続関係を示した概念図である。
【００１７】
図１に示すように、コンテンツ再生装置１０は、制御部１１、表示部１２、操作部１３、無線接続部１４、入力部１５、出力部１６、記憶部１７を備える。図２に示すように、コンテンツ再生装置１０は、音声を出力するスピーカ２０が接続され、外部接続装置４０と無線接続される。
【００１８】
図１および図２に示したコンテンツ再生装置１０は、具体的には車載用オーディオ装置や据置き型オーディオ装置、ポータブル型オーディオ装置等、オーディオ再生機能を有している各種装置が対象となる。また、外部接続装置４０は、具体的には、ポータブル型オーディオ装置、携帯電話、スマートフォン、ＰＤＡ（Personal Digital Assistant）、ＰＮＤ（Portable Navigation Device）等、コンテンツ再生装置１０と通信可能であり、コンテンツデータを有している各種装置が対象となる。
【００１９】
図１に示すコンテンツ再生装置１０において、制御部１１は、例えばＣＰＵ（Central Processing Unit）ＲＡＭ（Random Access Memory）、ＲＯＭ（Read Only Memory）、やＤＳＰ（Digital Signal Processor）、映像処理用のプロセッサ等により構成され、各部の制御や必要な情報処理を行う。
【００２０】
表示部１２は、コンテンツ再生装置に備えられ又はコンテンツ再生装置に接続される表示装置であり、後述する制御部１１の制御により、コンテンツ再生装置に関する各種情報や操作表示に加え、再生するコンテンツに関する情報等を表示する。表示部１２は、例えば液晶表示装置や有機ＥＬ（Electro Luminescence）表示装置等の表示パネル、および表示パネルを駆動する図示しない表示駆動部により構成される。
【００２１】
操作部１３は、ユーザによるコンテンツ再生装置１０の操作や入力を受け付け、各種スイッチやタッチパネル等により構成される。操作部１３により受け付けられた信号は、制御部１１により処理され、各部の制御が行われる。また、操作部１３は図示しないリモコン装置であってもよい。
【００２２】
無線接続部１４は、コンテンツ再生装置１０と例えば外部接続装置４０等を無線接続するインターフェース等である。無線接続部１４は、例えばブルートゥース通信インターフェースや、赤外線通信インターフェース、トランスファージェット通信インターフェース等である。無線接続部１４による無線通信により、コンテンツ再生装置１０と無線接続対象の各種装置間において、各種データやコマンド等の送受信が行われる。
【００２３】
入力部１５は、コンテンツ再生装置１０に各種データや信号を入力する各種接続端子やインターフェース等である。例えば音声信号を入力するＲＣＡ規格の端子や、音声データや音声ファイルの入力を行うＵＳＢ（Universal Serial Bus）端子等である。入力部１５は、入力されたアナログ音声信号をデジタル音声データに変換するＡＤＣ（Analog Digital Converter）を備えていてもよい。
【００２４】
出力部１６は、コンテンツ再生装置１０から各種データや信号を出力する各種接続端子やインターフェース等であり、入力部１５と共用であってもよい。例えば、音声信号を出力するＲＣＡ規格の端子や、音声データや音声ファイルの出力を行うＵＳＢ端子、スピーカ２０へ音声信号の出力を行うスピーカ端子等である。出力部１６は、出力するデジタル音声データをアナログ音声信号に変換するＤＡＣ（Digital Analog Converter）や、音声データや音声信号を増幅する増幅部を備えていてもよい。
【００２５】
記憶部１７は、コンテンツデータ等の各種データや各種情報を記憶する記憶装置であり、例えばＨＤＤ（Hard Disk Drive）やフラッシュメモリ等により構成される。また、記憶部１６は、ＵＳＢ端子等を介して接続される外部ＨＤＤ装置やＵＳＢメモリ等の外部の記憶装置であってもよく、図示しないカードスロットに接続されるメモリカードであってもよい。さらには図示しない光学ディスクドライブに装填される光学式ディスクであってもよい。
【００２６】
また制御部１１は、制御部１１を構成する各構成要素やそれらの処理等によって実現される再生制御部１１１、接続制御部１１２を備える。
【００２７】
再生制御部１１１は、記憶部１６や接続されている外部接続装置４０に記憶された各種コンテンツデータの再生を行う。具体的には、コンテンツデータの取得、コンテンツデータの再生処理、コンテンツデータの再生開始及び停止処理、コンテンツデータの再生に伴う時間管理、コンテンツデータの再生に伴う信号レベル管理等である。コンテンツデータの再生処理は、コンテンツデータの形式に応じたデコード処理や音質調整処理、サラウンド処理等である。
【００２８】
接続制御部１１２は、無線接続部１４により接続された外部接続装置４０に対して、接続確立および接続解除の処理、接続可能な外部接続装置４０の検出等を行う。
【００２９】
図２に示す外部接続装置４０は、コンテンツ再生装置１０と同一規格の無線通信が可能であり、コンテンツ再生装置１０と１対１の無線接続が可能である。また、外部接続装置４０には、図示しない記憶部に各種コンテンツデータが記録されており、コンテンツデータは無線通信によりコンテンツ再生装置１０によって再生することができる。また、コンテンツ再生装置１０と無線通信可能な外部接続装置４０が複数存在するときは、接続制御部１１２は複数の外部接続装置４０を検出することができる。
【００３０】
次に図３に基づき、コンテンツ再生装置１０を外部接続装置４０に接続し、接続した外部接続装置４０におけるコンテンツを再生する処理について説明する。先ず、コンテンツ再生装置１０における制御部１１は、ユーザによる操作部１３の操作によって外部接続装置４０の検索要求を受け付けたか否かを判断する（ステップＳ１０）。本処理の時点においては、コンテンツ再生装置１０はいずれの外部接続装置４０とも接続されていない状態である。また、本実施例においてコンテンツデータは楽曲データとして説明するが、これに限らず動画データや他のデータであってもよい。
【００３１】
ステップＳ１０において、外部接続装置４０の検索要求が受け付けられていないと判断された場合は（ステップＳ１０：Ｎｏ）、ステップＳ１０の処理を繰り返す。ステップＳ１０において、外部接続装置４０の検索要求が受け付けられたと判断された場合は（ステップＳ１０：Ｙｅｓ）、制御部１１における接続制御部１１２は無線接続部１４において無線接続に用いる電波を受信し、接続可能な外部接続装置４０を検索する（ステップＳ１１）。また、ステップＳ１１においては、検索された外部接続装置４０の情報を記憶部１７やＲＡＭ等に記憶する。
【００３２】
次に、制御部１１はステップＳ１１によって検索した外部接続装置４０が接続対象として指定されたか否かを判断する（ステップＳ１２）。接続対象としての指定は、ステップＳ１１で検出された接続可能な外部接続装置４０の一覧が表示部１２に表示された状態で、ユーザが操作部１３を操作することによって指定する。また、検索された外部接続装置４０が１つであった場合は、ステップＳ１２を省略してもよい。
【００３３】
ステップＳ１２において、外部接続装置４０が指定されていないと判断された場合は（ステップＳ１２：Ｎｏ）、ステップＳ１２の処理を繰り返す。ステップＳ１２において、外部接続装置４０が指定されたと判断された場合は（ステップＳ１２：Ｙｅｓ）、接続制御部１１２は指定された外部接続装置４０と無線接続部１４による無線接続を確立する（ステップＳ１３）。
【００３４】
ステップＳ１３においては、外部接続装置４０との無線接続を確立するとともに、再生制御部１１１が、外部接続装置４０に記憶されている楽曲情報を取得する。ここで取得する楽曲情報とは、外部接続装置４０に記憶されている楽曲の一覧や、一覧に含まれる個々の楽曲に対する再生時間情報、ファイル形式情報等である。楽曲一覧は、外部接続装置４０に記憶されている各種データのうち、音声データである所定の拡張子が付与されたデータの一覧を取得してもよく、楽曲データが格納されている所定のフォルダに格納された楽曲データの一覧を取得してもよい。さらには外部接続装置４０により記憶されている楽曲データの一覧を取得してもよい。
【００３５】
ステップＳ１３によって楽曲情報が取得された後、制御部１１は操作部１３により楽曲再生の要求があったか否かを判断する（ステップＳ１４）。この判断以前に、表示部１２には接続された外部接続装置４０の楽曲一覧が表示され、楽曲再生要求とは楽曲一覧の表示に基づき楽曲が選択された上で、選択された楽曲の再生操作が行われる。
【００３６】
ステップＳ１４において楽曲の再生要求がないと判断された場合は（ステップＳ１４：Ｎｏ）、ステップＳ１２に戻り、検索された外部接続装置４０の指定処理を行う。検索された外部接続装置４０が１つであった場合は、ステップＳ１４の処理を繰り返してもよい。ステップＳ１４において、楽曲の再生要求があったと判断された場合は（ステップＳ１４：Ｙｅｓ）、再生制御部１１１は再生要求を行った楽曲の再生を開始する（ステップＳ１５）。
【００３７】
ステップＳ１５において、再生要求を行った楽曲の再生中、再生制御部１１１は次に再生する楽曲が有るか否かを判断する（ステップＳ１６）。ステップＳ１５において再生している楽曲は、例えばアルバム単位での再生やプレイリスト単位の再生等、複数の楽曲が連続して再生される場合があり、これら一連の楽曲における全ての楽曲が終了していない間は、次に再生する楽曲が存在する。
【００３８】
ステップＳ１６において、次に再生する楽曲が無いと判断された場合は（ステップＳ１６：Ｎｏ）、本処理を終了する。ステップＳ１６において、次に再生する楽曲が有ると判断された場合は（ステップＳ１６：Ｙｅｓ）、後述する外部接続装置情報取得処理が行われる（ステップＳ１７）。この時点においてはステップＳ１５において再生が開始された楽曲データの再生を継続されている。
【００３９】
ステップＳ１７において外部接続装置情報取得処理が行われた後、ステップＳ１７により取得された外部接続装置情報に基づき、ユーザによる操作部１３の操作によって後述する外部接続装置の選択切替処理が行われる（ステップＳ１７）。ステップＳ１７において外部接続装置の選択切替処理が行われた後は、ステップＳ１６に推移する。
【００４０】
次に、ステップＳ１７における外部接続装置情報取得処理について、図４および図５に基づき説明する。図４および図５の処理は、図３におけるステップＳ１５の処理によって、外部接続装置４０における楽曲データがコンテンツ再生装置１０により再生されている状態で行われる。
【００４１】
図４において先ず再生制御部１１１は、再生中の楽曲データの再生が終了したか否かを判断する（ステップＳ２０）。この判断は、再生制御部１１１において、１曲を構成する楽曲データの末尾までの再生が行われたかの判断、再生制御部１１１において取得した楽曲データの再生時間情報に基づく判断などによる。ステップＳ２０において、再生終了していないと判断された場合は（ステップＳ２０：Ｎｏ）、ステップＳ２０の処理を繰り返す。ステップＳ２０において、再生終了したと判断された場合は（ステップＳ２０：Ｙｅｓ）、再生している楽曲の再生を停止させるとともに、接続制御部１１２は接続している外部接続装置４０との接続を解除させる（ステップＳ２４）。ここでいう再生の停止とは、再生終了した楽曲データに続いて再生が開始される次の楽曲データの再生が行われないように、再生制御部１１により停止処理または一時停止処理を行うことである。
【００４２】
次に、接続制御部１１２は、ステップＳ１１同様コンテンツ再生装置１０に接続可能な外部接続装置４０を検索し、検索された外部接続装置４０の情報を記憶部１７やＲＡＭ等に記憶する（ステップＳ２５）。
【００４３】
ステップＳ２５の処理終了後、接続制御部１１２はステップＳ２４において接続を解除した外部接続装置４０との再接続を行うとともに、再生制御部１１１はステップＳ２４において再生を停止した楽曲の次の楽曲の再生を開始させ（ステップＳ２７）、本処理を終了する。
【００４４】
図５は、ステップＳ１７における外部接続装置情報取得処理の他の例であり、図４と同一の処理については同一符号を付与し説明を省略する。ステップＳ２０において再生中の楽曲データの再生が終了したと判断された場合は（ステップＳ２０：Ｙｅｓ）、再生制御部１１１は再生していた楽曲データの再生終了時刻直前に無音区間が存在したか否かを判断する（ステップＳ２２）。この判断は再生制御部１１１において、再生中の楽曲データにおける再生レベルを検出し、例えば楽曲データの終了時刻直前の例えば０．５秒以上の時間、再生レベルが所定レベル以下であることが検出されることにおり判断される。これにより、再生していた楽曲と次の楽曲との間に曲間（無音区間）があることが判断できる。無音区間の無い楽曲の例としてはライブ盤のアルバムなど、再生していた楽曲と次の楽曲との間に何らかの音声が継続して記録されている場合などである。
【００４５】
ステップＳ２２において、無音区間が無いと判断された場合は（ステップＳ２２：Ｎｏ）、本処理を終了する。これにより、再生していた楽曲と次の楽曲との間に何らかの音声が継続して記録されている場合においては、無線接続解除等を伴う接続可能な外部接続装置４０の検索処理が行われないため、楽曲間で連続的に再生される音声が途切れることなく適切な再生処理が行われる。ステップＳ２２において、無音区間が有ると判断された場合は（ステップＳ２２：Ｙｅｓ）、ステップＳ２４の処理を行う。
【００４６】
次に、ステップＳ１８における外部接続装置選択切替処理について、図６および図７に基づき説明する。図６の処理は、図３におけるステップＳ１５の処理によって、外部接続装置４０における楽曲データがコンテンツ再生装置１０により再生されている状態で行われる。ステップＳ１８はユーザによる任意のタイミングの操作に基づく処理であり、図３においてはステップＳ１７とステップＳ１８は前後してもよい。
【００４７】
図６において先ず制御部１１は、操作部１３が操作され、外部接続装置４０の切替要求を受け付けたか否かを判断する（ステップＳ３０）。ここで行われる操作部１３の操作とは、ユーザが楽曲データの再生中に操作部１３を操作することによって、接続制御部１１２によって検出されている外部接続装置４０の一覧の表示を要求するなどの操作によるものである。
【００４８】
図７において、図７（ａ）は楽曲データが再生されているときの表示部１２の表示画面例を模した図である。表示部１２には、現在再生している楽曲データの所在と内容を示す情報として、接続装置表示部２００、楽曲名表示部２０１、アーティスト名表示部２０２、アルバム名表示部２０３、フォルダ名表示部２０４、再生時間表示部２０５、ファイル形式表示部２０６、ジャケット画像表示部２０７を有する。上記以外にも、楽曲データに関連する各種情報や、再生処理に関連する各種情報が表示されてもよい。
【００４９】
接続装置表示部２００は、無線接続部１４を介して現在無線接続されている外部接続装置４０を判別できる名称等の表示を行う。楽曲名表示部２０１、アーティスト名表示部２０２、アルバム名表示部２０３、フォルダ名表示部２０４、ファイル形式表示部２０６、ジャケット画像表示部２０７は、再生制御部１１１が取得した現在再生中の楽曲データに関する情報であり、例えば楽曲データにより構成されるファイルの名称や格納場所、ＩＤ３タグ情報、対応付けられて記憶されている画像データ等に基づく。再生時間表示部２０５は、再生制御部１１１の処理により現在再生中の楽曲データの再生開始位置からの経過時間を表示する。また、これ以外にも現在再生中の楽曲データがアルバムにおける何曲目であるかを表示してもよい。
【００５０】
ステップＳ３０において、外部接続装置４０の切替要求が受け付けられていないと判断された場合は（ステップＳ３０：Ｎｏ）、本処理を終了する。ステップＳ３０において、外部接続装置４０の切替要求が受け付けられたと判断された場合は（ステップＳ３０：Ｙｅｓ）、制御部１１はステップＳ１７において取得した外部接続装置４０の一覧を表示部１２に表示させる（ステップＳ３１）。
【００５１】
図７（ｂ）は、ステップＳ３１において外部接続装置４０の一覧が表示された表示画面例を模した図である。表示部１２には、現在接続されている外部接続装置４０の名称「接続装置ＡＡＡ」における楽曲データ再生中の表示に加えて、接続装置選択表示画面３００が表示される。接続装置選択表示画面３００には、ステップＳ１７の処理によって取得した接続可能な外部接続装置４０の一覧が、接続装置選択表示部３０１として表示される。接続装置選択表示部３０１の例として、接続可能な複数の外部接続装置４０の名称「接続装置ＡＡＡ」「接続装置ＢＢＢ」「接続装置ＣＣＣ」が表示される。
【００５２】
次に制御部１１は、操作部１３の操作されることによって、一覧表示された外部接続装置４０のうちいずれかが選択されたか否かを判断する（ステップＳ３２）。ユーザによる操作部１３の操作は、図７（ｂ）の状態において、操作部１３の操作によって接続装置選択表示部３０１に表示されているいずれかの外部接続装置４０が選択され決定操作が行われた状態である。
【００５３】
ステップＳ３２において、選択されていないと判断された場合は（ステップＳ３２：Ｎｏ）、ステップ３２の処理を繰り返す。ステップＳ３２において、選択されたと判断された場合は（ステップＳ３２：Ｙｅｓ）、再生制御部１１１は接続中の外部接続装置４０における楽曲データの再生停止処理を行い、接続制御部１１２は接続中の外部接続装置４０との無線接続を解除する（ステップＳ３３）。
【００５４】
ステップＳ３３において、接続中の外部接続装置４０における楽曲の再生停止および接続の解除が行われた後、接続制御部１１２は、ステップＳ３２において選択された外部接続装置４０に対して接続要求を行い、無線接続を確立する。また、接続確立後は、再生制御部１１１により新たに接続された外部接続装置４０における楽曲の再生を開始させる（ステップＳ３２）、本処理を終了する。
【００５５】
このような処理によって、楽曲の再生中における曲間において逐次接続可能な外部接続装置４０が検索されるため、ユーザは楽曲の再生を停止することなく、接続の変更のために接続可能な外部接続装置４０を選択することができる。このため、ユーザは外部接続装置４０の切替を、楽曲の再生を停止することなく、また煩雑な操作を行うことなく、容易に行うことができる。
【００５６】
本発明の実施の形態は、その要旨を逸脱しない限り、様々に変更可能である。例えば、図５に示したように、再生中の楽曲データの終了時に無音区間が無い場合は、外部接続装置４０の検索を行わないようにしてもよい。これにより次の楽曲との境目に音声信号が連続している楽曲の再生中に、外部接続装置４０の検索処理が行われることによって短時間であっても連続した音声が途切れることを防止する。
【００５７】
また上記実施例においては、楽曲毎に接続可能な外部接続装置４０を検索したが、楽曲毎ではなく複数楽曲毎であってもよい。例えば５曲毎などである。
【００５８】
また上記実施例においては、再生中の楽曲データの終了時に無音区間がある楽曲の再生終了時に接続可能な外部接続装置４０を検索したが、再生中の楽曲データおよび次の楽曲データを予めバッファメモリ等に記憶させ、再生中の楽曲データ終了時の無音区間または次の楽曲データ開始時の無音区間または双方の無音区間における、接続可能な外部接続装置４０の検索に要する期間分をスキップしてもよい。これにより無音区間の時間が通常の再生と変わることなく外部接続装置４０の検索を行うことができる。
【００５９】
また、上記実施例による図６のステップＳ３３においては、接続中の外部接続装置４０における楽曲データの再生停止は、ステップＳ３２において接続可能ないずれかの外部接続装置４０が選択された時点で再生停止する記載としたが、再生中の楽曲データが終了してからの再生停止であってもよい。これにより、複数の外部接続装置４０により連続して楽曲の再生を行う場合に、楽曲の再生が途切れることなく外部接続装置４０の切替を可能とする。
【００６０】
また、上記実施例による図６のステップＳ３４において、選択された外部接続装置４０における楽曲データの再生は、以前に切替えられたときに再生していた楽曲を記憶し、その楽曲の次の楽曲から開始してもよい。また以前に再生した楽曲にフラグ等を付与して記憶し、フラグの有していない楽曲を再生してもよい。これにより、複数の外部接続装置４０を用いた連続再生やランダム再生等を行うことができる。
【００６１】
さらに上記実施例においては、コンテンツ再生装置１０と各外部接続装置４０とを無線接続することとして記載したが、有線接続を行う外部接続装置４０に対して同様の処理を行ってもよい。また、検索される外部接続装置４０は無線接続する外部接続装置４０と有線接続する外部接続装置４０とが混在していてもよい。
【符号の説明】
【００６２】
１０：コンテンツ再生装置、１１：制御部、１２：表示部、１３：操作部、１４：無線接続部、１５：入力部、１６：出力部、１７：記憶部、１１１：再生制御部、１１２：接続制御部、１１５：表示制御部
【図１】
0005387548.tif 000002
【図２】
0005387548.tif 000003
【図３】
0005387548.tif 000004
【図４】
0005387548.tif 000005
【図５】
0005387548.tif 000006
【図６】
0005387548.tif 000007
【図７】
0005387548.tif 000008